(57)【要約】【課題】本発明は、上下方向に開閉するいわゆる上げ下げ窓２にいて、当該窓を支えるワイヤ５が切断されても窓が落下しないようにすることを課題とする。【解決手段】上げ下げ窓２を支えるワイヤ５を巻き付けておくワイヤ係止部材６と、二片（６Ａ、６Ｂ）からなるワイヤ係止部材６を引き離す方向に付勢されているバネ７と、ワイヤ係止部材６に挟まれた軸部材８からなる、上げ下げ窓２における窓落下装置１を発明した。その結果、通常は、窓の重さでワイヤ５が緊張状態にあり、バネ７の力に抗してワイヤ係止部材６が押さえつけられているが、ワイヤ切断等により窓の重さが掛からなくなるとワイヤ５が緩んでバネ７が弾け、ワイヤ係止部材６が分離し、両側の縦枠３を強く外側に押し出すように押さえつけ、上げ下げ窓２の落下を防止できるようになった。【選択図】図５
2008240496.tif 000002
【特許請求の範囲】
【請求項１】
上げ下げ窓を支えるワイヤを巻き付けておくワイヤ係止部材と、複数片からなるワイヤ係止部材を引き離す方向に付勢されているバネと、ワイヤ係止部材に挟まれた軸部材からなる、上げ下げ窓における窓落下装置であって、通常は、窓の重さでワイヤが緊張状態にあり、バネの力に抗してワイヤ係止部材が押さえつけられているが、ワイヤ切断等により窓の重さが掛からなくなるとワイヤが緩んでバネが弾け、ワイヤ係止部材が分離し、両側の縦枠を強く外側に押し出すように押さえつけ、結果として、窓が落下しなくなることを特徴とする上げ下げ窓における窓落下装置
【請求項２】
上げ下げ窓を支えるワイヤを巻き付けておくワイヤ係止部材と、二片からなるワイヤ係止部材を引き離す方向に付勢されているバネと、ワイヤ係止部材に挟まれた軸部材からなる、上げ下げ窓における窓落下装置であって、通常は、窓の重さでワイヤが緊張状態にあり、バネの力に抗してワイヤ係止部材が押さえつけられているが、ワイヤ切断等により窓の重さが掛からなくなるとワイヤが緩んでバネが弾け、ワイヤ係止部材が分離し、両側の縦枠を強く外側に押し出すように押さえつけ、結果として、窓が落下しなくなることを特徴とする上げ下げ窓における窓落下装置
【請求項３】
上げ下げ窓を支えるワイヤを巻き付けておくワイヤ係止部材と、三片以上の複数片からなるワイヤ係止部材を引き離す方向に付勢されているバネと、ワイヤ係止部材に挟まれた軸部材からなる、上げ下げ窓における窓落下装置であって、通常は、窓の重さでワイヤが緊張状態にあり、バネの力に抗してワイヤ係止部材が押さえつけられているが、ワイヤ切断等により窓の重さが掛からなくなるとワイヤが緩んでバネが弾け、ワイヤ係止部材が分離し、両側の縦枠を強く外側に押し出すように押さえつけ、結果として、窓が落下しなくなることを特徴とする上げ下げ窓における窓落下装置
【請求項４】
ワイヤ係止部材の外周部に、グリップを効かせるためゴム素材を施したことを特徴とする請求項１、２、又は３に記載の上げ下げ窓における窓落下装置
【請求項５】
ワイヤ係止部材の外周部に、ギザギザ形状を施したことを特徴とする請求項１、２、３又は４に記載の上げ下げ窓における窓落下装置
【請求項６】
ワイヤ係止部材の外周部に、カマ状突起を設けたことを特徴とする請求項１、２、又は３に記載の上げ下げ窓における窓落下装置
【請求項７】
ワイヤ係止部材の外周部に、ヤスリ状の表面を施したことを特徴とする請求項１、２、又は３に記載の上げ下げ窓における窓落下装置
【発明の詳細な説明】
【技術分野】
【０００１】  本発明は、上下方向に開閉するいわゆる上げ下げ窓にいて、当該窓を支えるワイヤが切断されても窓が落下しないようにすることを目的とした落下防止装置に関するものである。
【背景技術】
【０００２】  上げ下げ窓における窓落下防止装置としては、下記特許文献において掲げるようなものが存在する。
【特許文献１】特開２００２−２４２５２７
【発明の開示】
【発明が解決しようとする課題】
【０００３】  しかし、上記文献に示されているものは、枠にも仕掛けを設けなければならない。【０００４】  そこで、本発明は、ワイヤ係止部材に工夫を施すだけで、窓落下防止という目的を達成できるようにすることを課題とする。
【課題を解決するための手段】
【０００５】  上記課題を解決するため、上げ下げ窓を支えるワイヤを巻き付けておくワイヤ係止部材と、複数片からなるワイヤ係止部材を引き離す方向に付勢されているバネと、ワイヤ係止部材に挟まれた軸部材からなる、上げ下げ窓における窓落下装置であって、通常は、窓の重さでワイヤが緊張状態にあり、バネの力に抗してワイヤ係止部材が押さえつけられているが、ワイヤ切断等により窓の重さが掛からなくなるとワイヤが緩んでバネが弾け、ワイヤ係止部材が分離し、両側の縦枠を強く外側に押し出すように押さえつけ、結果として、窓が落下しなくなることを特徴とする上げ下げ窓における窓落下装置を発明した。【０００６】  また、上記ワイヤ係止部材の外周部に、グリップを効かせるためゴム素材を施したことを特徴とする窓落下装置も発明した。
【発明の効果】
【０００７】  万一、ワイヤ切断等により窓の重さが掛からなくなるとワイヤが緩んでバネが弾け、ワイヤ係止部材が分離し、両側の枠を強く押さえつけ、結果として、窓が落下しなくなる。【０００８】  しかも、ワイヤ係止部材に工夫を施すだけで、窓落下防止という目的を達成しうる。
【発明を実施するための最良の形態】
【０００９】  図１に示すように、本発明に係る窓落下装置１は、上げ下げ窓２の側面の下部に取り付けられる。【００１０】  上げ下げ窓２の左右両端は縦枠３に係合しており、その縦枠３に沿って窓２が上下にスライドするわけであるが、その奥には、図２に示すように、窓落下防止装置１を取り付けるための隙間４が存在する。【００１１】  本発明に係る窓落下防止装置１は、上げ下げ窓２を支えるワイヤ５を巻き付けておくワイヤ係止部材６と、二片（６Ａ、６Ｂ）からなるワイヤ係止部材６を引き離す方向に付勢されているバネ７と、ワイヤ係止部材６に挟まれた軸部材８からなる。かかる各構成部品につき、以下説明する。【００１２】  先ず、ワイヤ係止部材６であるが、図５に示すように、いざというときに分離するよう二片（６Ａ、６Ｂ）からなる。ワイヤ５を巻き付け易くするため、全体形状は円形であり、図８に示すように、外周部は凹状に溝９が形成されている。【００１３】  次に、二片からなるワイヤ係止部材６を引き離す方向に付勢されているバネ７は、図４、図５に示すように、コイルバネとする。バネ７は、ワイヤ係止部材６の切欠１５に仕込まれている。窓の加重がバネの付勢力を上回っているため、図４、図６に示すように、普段は圧縮されているが、窓の荷重が掛からなくなると、図５、図７に示すように、バネが弾け、ワイヤ係止部材６が強い勢いで分離する。【００１４】  ワイヤ係止部材６に挟まれた軸部材８は、図８に示すように、窓に取り付けるための棒状部分１０と円盤状のフランジ部分１１からなる。フランジ部分は、直方体の板状体１２を二つの円板１３が挟み込んだような形状である。この板状体１２とワイヤ係止部材６の切欠１４が係合するのである。軸部８は、板状体１２を水平に保つようにして窓２に取り付ける。なぜなら、これと係合するワイヤ係止部材６が、いざというときに、水平方向に分離するようにするためである。なお、ワイヤ係止部材６が完全に分離した状態にあっても、板状体１２とワイヤ係止部材６の切欠１４の係合は完全には解かれない。そのようにしないと、ワイヤ係止部材６が、水平方向に分離して弾け、縦枠３に接地したときに、水平状態を保ちつつ上げ下げ窓２を支えるということができなくなるからである。
【実施例１】
【００１５】  ワイヤ係止部材６が、水平方向に分離して弾け、縦枠３に接地したときに、グリップを効かせるために、図９に示すように、ワイヤ係止部材の外周部にゴム素材１６を施すと一層効果的である。
【実施例２】
【００１６】  ワイヤ係止部材６が、水平方向に分離して弾け、縦枠３に接地したときに、グリップを効かせるために、図１０に示すように、ワイヤ係止部材の外周部をギザギザ形状１７にするのも一策である。
【実施例３】
【００１７】  ワイヤ係止部材６が、水平方向に分離して弾け、縦枠３に接地したときに、接地効果を高めるために、図１１に示すように、ワイヤ係止部材の外周部にカマ状突起１８を設けるのも一策である。
【実施例４】
【００１８】  ワイヤ係止部材６が、水平方向に分離して弾け、縦枠３に接地したときに、接地効果を高めるために、図１５に示すように、ワイヤ係止部材の外周部にヤスリ状の表面１９を施すのも一策である。
【実施例５】
【００１９】  これまで述べてきたものはワイヤ係止部材６が水平方向に分離するものであったが、昆虫の羽根のように、下方が左右に広がっていくものも考えられる。つまり、図１４に示すように、上端を支点として、下方のみがバネによって広がっていくというパターンである。
【実施例６】
【００２０】  これまで述べてきたものはワイヤ係止部材６が二片からなるものであったが、ワイヤ係止部材６が三片からなるものも考えられる。たとえば、図１２に示すように、三方向に分離して弾けるようなものである。
【実施例７】
【００２１】  さらに、ワイヤ係止部材６が四片からなり、図１３に示すように四方向に分離して弾けるものも考えられる。【００２２】  このように、どんどん片数を増やせば増やすほど、どの面が縦枠に接地してもきちんと保持状態をキープできるようになるが、その分バネも多く必要となり、煩雑な面もある。
【実施例８】
【００２３】  実施例５から実施例７に示すワイヤ係止部材６に、実施例１、実施例２、実施例３又は実施例４に示すグリップ効果・接地効果を付与するものが、本実施例である。
【図面の簡単な説明】
【００２４】
【図１】上げ下げ窓と枠の関係を正面から見た様子
【図２】上げ下げ窓と枠の関係を真上から見た様子
【図３】ワイヤ係止部材が分離し、枠を押さえつけている様子を真上から見た様子
【図４】普段におけるワイヤ係止部材の様子
【図５】ワイヤ係止部材が分離し、枠を押さえつけている様子
【図６】ワイヤが巻き付けられている普段のワイヤ係止部材の様子
【図７】ワイヤが切れてワイヤが緩み、ワイヤ係止部材が分離したときの様子
【図８】ワイヤ係止部材と軸部材の関係
【図９】ワイヤ係止部材の外周部にゴム素材を施したもの
【図１０】ワイヤ係止部材の外周部にギザギザ形状を施したもの
【図１１】ワイヤ係止部材の外周部にカマ状突起を施したもの
【図１２】三片からなり、三方向に分離するワイヤ係止部材
【図１３】四片からなり、四方向に分離するワイヤ係止部材
【図１４】二片からなり、下方が広がるワイヤ係止部材
【図１５】ワイヤ係止部材の外周部にヤスリ状の表面を施したもの
【符号の説明】
【００２５】１…窓落下防止装置
２…上げ下げ窓
３…縦枠
４…隙間
５…ワイヤ
６…ワイヤ係止部材
７…バネ
８…軸部材
９…溝
１０…棒状部分
１１…フランジ部分
１２…板状体
１３…円板
１４…切欠（板状体１２と係合する切欠）
１５…切欠（バネ７を仕込んでおくための切欠）
１６…ゴム素材
１７…ギザギザ形状
１８…カマ状突起
１９…ヤスリ状の表面
【図１】
2008240496.tif 000003
【図２】
2008240496.tif 000004
【図３】
2008240496.tif 000005
【図４】
2008240496.tif 000006
【図５】
2008240496.tif 000007
【図６】
2008240496.tif 000008
【図７】
2008240496.tif 000009
【図８】
2008240496.tif 000010
【図９】
2008240496.tif 000011
【図１０】
2008240496.tif 000012
【図１１】
2008240496.tif 000013
【図１２】
2008240496.tif 000014
【図１３】
2008240496.tif 000015
【図１４】
2008240496.tif 000016
【図１５】
2008240496.tif 000017